(57)【要約】【課題】空気調和装置において、熱交換器を通る外気の風量を均一化して熱交換効率を向上するとともに、空気調和装置を小型化する。【解決手段】外装ケース１１内に熱交換器２１を配置し、外装ケース１１の上部に設けた送風機２２により外装ケース１１の側部から熱交換器２１を通して吸い込んだ空気を、外装ケース１１の上側に吹き出す形式の空気調和装置において、送風機２２の吸い込みノズル４０を熱交換器２１の上端２１Ｂより下方に下げて配置し、送風機２２により吸い込みノズル４０から上側に吹き出される空気流Ｘのエゼクタ効果で、吸い込みノズル４０より上方の空気を吸引することにより、熱交換器２１の吸い込みノズル４０より上方の上部部分を通った空気を、外装ケース１１の上側に吹き出し可能とした。【選択図】図１
2012072937.tif 000002
【特許請求の範囲】
【請求項１】
外装ケース内に側部に沿って室外熱交換器を配置し、前記外装ケースの開放部に設けた室外ファンにより前記外装ケースの側部から前記室外熱交換器を通して吸い込んだ空気を、前記外装ケースの開放部側に吹き出す形式の空気調和装置において、
前記室外ファンのノズルを前記開放部の内側であって当該室外熱交換器の端より内側に向けて延出させて配置し、
前記室外ファンにより前記ノズルから開放部側に吹き出される空気のエゼクタ効果で、前記ノズルより開放部側の空気を吸引することにより、前記室外熱交換器の前記ノズルより開放部側の部分を通った空気を、前記外装ケースの開放部側に吹き出し可能としたことを特徴とする空気調和装置。
【請求項２】
外装ケース内に室外熱交換器を配置し、前記外装ケースの上部に設けた室外ファンにより前記外装ケースの側部から前記室外熱交換器を通して吸い込んだ空気を、前記外装ケースの上側に吹き出す形式の空気調和装置において、
前記室外ファンのノズルを当該室外熱交換器の上端より下方に下げて配置し、
前記室外ファンにより前記ノズルから上側に吹き出される空気のエゼクタ効果で、前記ノズルより上方の空気を吸引することにより、前記室外熱交換器の前記ノズルより上方の上部部分を通った空気を、前記外装ケースの上側に吹き出し可能としたことを特徴とする空気調和装置。
【請求項３】
前記外装ケース内には前記室外熱交換器に囲われた通風空間が形成され、
前記室外ファンは、前記通風空間内に配置され、前記室外熱交換器の前記上端よりも下方に位置していることを特徴とする請求項２記載の空気調和装置。
【請求項４】
前記ノズルは、前記室外ファンの吸込口から前記室外熱交換器の内側面に向けて延びることを特徴とする請求項１から３のいずれかに記載の空気調和装置。
【請求項５】
前記ノズルの端部と前記内側面との間に隙間を設けたことを特徴とする請求項１から４のいずれかに記載の空気調和装置。
【請求項６】
圧縮機が配置される機械室が前記通風空間の下部に設けられ、前記機械室は前記通風空間に連通し、前記室外熱交換器の下部から吸い込まれた空気は前記機械室を通って前記室外ファンへ流れることを特徴とする請求項２から５のいずれかに記載の空気調和装置。
【請求項７】
前記外装ケースの上方には前記室外ファンから吹き出される空気を上方に排出する吹き出し口が設けられ、該吹き出し口の開口面積は、平面視における前記通風空間の面積よりも小さく絞られていることを特徴とする請求項２から６のいずれかに記載の空気調和装置。
【発明の詳細な説明】
【技術分野】
【０００１】
本発明は、空気を吹き出す形式の空気調和装置に関する。
【背景技術】
【０００２】
従来、空気調和装置において、室外ユニットの上部に室外ファンを設け、室外ファンを囲うように室外ユニットの側面に上下に延びる熱交換器を配置し、室外ファンが室外ユニットから空気を吹き出すことにより、側面の室外熱交換器を通して室外ユニットに外気を吸い込むものが知られている（例えば、特許文献１参照）。
【先行技術文献】
【特許文献】
【０００３】
【特許文献１】特開平３−２５５８２９号公報
【発明の概要】
【発明が解決しようとする課題】
【０００４】
しかし、上記従来のような空気調和装置では、室外ファンが熱交換室の上部に位置しているため、熱交換器を通して吸い込まれる外気の風量は、室外ファンに近い上部ほど大きく、室外ファンに遠い下部ほど小さくなっており、風量及び風速の分布が不均一になっている。このため、熱交換効率が低下するとともに、熱交換室の下部からも十分な量の外気を吸い込めるように大型の室外ファンを用いる必要があり、空気調和装置が大型化していた。
本発明は、上述した事情に鑑みてなされたものであり、空気調和装置において、熱交換器を通る外気の風量を均一化して熱交換効率を向上するとともに、空気調和装置を小型化できるようにすることを目的とする。
【課題を解決するための手段】
【０００５】
上記目的を達成するため、本発明は、外装ケース内に側部に沿って室外熱交換器を配置し、前記外装ケースの開放部に設けた室外ファンにより前記外装ケースの側部から前記室外熱交換器を通して吸い込んだ空気を、前記外装ケースの開放部側に吹き出す形式の空気調和装置において、前記室外ファンのノズルを前記開放部の内側であって当該室外熱交換器の端より内側に向けて延出させて配置し、前記室外ファンにより前記ノズルから開放部側に吹き出される空気のエゼクタ効果で、前記ノズルより開放部側の空気を吸引することにより、前記室外熱交換器の前記ノズルより開放部側の部分を通った空気を、前記外装ケースの開放部側に吹き出し可能としたことを特徴とする。
【０００６】
また、本発明は、外装ケース内に室外熱交換器を配置し、前記外装ケースの上部に設けた室外ファンにより前記外装ケースの側部から前記室外熱交換器を通して吸い込んだ空気を、前記外装ケースの上側に吹き出す形式の空気調和装置において、前記室外ファンのノズルを当該室外熱交換器の上端より下方に下げて配置し、前記室外ファンにより前記ノズルから上側に吹き出される空気のエゼクタ効果で、前記ノズルより上方の空気を吸引することにより、前記室外熱交換器の前記ノズルより上方の上部部分を通った空気を、前記外装ケースの上側に吹き出し可能としたことを特徴とする。
【０００７】
また、上記構成において、前記外装ケース内には前記室外熱交換器に囲われた通風空間が形成され、前記室外ファンは、前記通風空間内に配置され、前記室外熱交換器の前記上端よりも下方に位置している構成としても良い。
また、前記ノズルは、前記室外ファンの吸込口から前記室外熱交換器の内側面に向けて延びる構成としても良い。
さらに、前記ノズルの端部と前記内側面との間に隙間を設けても良い。
【０００８】
また、圧縮機が配置される機械室が前記通風空間の下部に設けられ、前記機械室は前記通風空間に連通し、前記室外熱交換器の下部から吸い込まれた空気は前記機械室を通って前記室外ファンへ流れる構成としても良い。
また、前記外装ケースの上方には前記室外ファンから吹き出される空気を上方に排出する吹き出し口が設けられ、該吹き出し口の開口面積は、平面視における前記通風空間の面積よりも小さく絞られていても良い。
【発明の効果】
【０００９】
本発明によれば、空気調和装置において、熱交換器を通る外気の風量を均一化して熱交換効率を向上するとともに、空気調和装置を小型化できる。
【図面の簡単な説明】
【００１０】
【図１】本発明の一実施の形態を示す空気調和装置の室外ユニットの側断面図である。
【図２】室外ユニットの内部構成を示す上面図である。
【図３】変形例における室外ユニットの側断面図である。
【発明を実施するための形態】
【００１１】
以下、本発明の一実施の形態を、図面を参照しながら説明する。
本実施形態に係る空気調和装置は、室外ユニット１０（空気調和装置）と室内ユニット（図示せず）とを備えて構成されており、冷媒配管により接続された冷媒回路に冷媒を流して、冷房運転および暖房運転を行う。室外ユニット１０は、室外に設置され、室外空気と熱交換して冷房運転時には冷媒を凝縮させて外気（空気）に熱を放出し、暖房運転時には冷媒を蒸発させて外気から熱を取り込むものである。なお、以下に述べる上下および左右といった方向は、室外ユニット１０を設置した状態でその前面側から見た場合の方向を示している。
【００１２】
図１は、室外ユニット１０の側断面図であり、図２は、室外ユニット１０の内部構成を示す上面図である。
室外ユニット１０は、略直方体箱形状の外装ケース１１を備え、この外装ケース１１は、底板１２と、この底板１２の４隅からそれぞれ鉛直方向に延びる支柱１４と、前面パネル１５（図２）とを有して構成される。
【００１３】
底板１２上には、図２に示すように、上面視で各支柱１４の間を繋ぐように略コ字形状に屈曲されて形成された板状の熱交換器２１（室外熱交換器）が配置され、熱交換器２１は室外ユニット１０の高さの略一杯に延在している。
熱交換器２１は、外装ケース１１の左側面から背面及び右側面に沿わせて配置され、前面パネル１５と合わさることで、上下に延びる略直方体の通風空間２０を形成している。すなわち、熱交換器２１及び前面パネル１５は、通風空間２０の側壁を構成している。外装ケース１１の上面には、通風空間２０の上部が開放した開放部５０が形成されている。ここで、熱交換器２１は、冷媒が流れるチューブの周りに、伝熱板である複数のフィンが配置されたフィン・アンド・チューブ型の熱交換器である。
【００１４】
通風空間２０の開放部５０の上方には、上面が開口した吹き出しノズル２８が設けられ、吹き出しノズル２８は室外ユニット１０の上面を構成している。吹き出しノズル２８は上下に延びる円筒状の胴部２８Ａ（吹き出し口）を有し、胴部２８Ａの開口面積は、平面視における通風空間２０の面積よりも小さく絞られている。
【００１５】
通風空間２０の上部の開放部５０には軸流型の送風機２２（室外ファン）が配置される。送風機２２は、図１に示すように、通風空間２０の中央に配置されるファンモーター２３と、ファンモーター２３の上下に延びる軸に取り付けられたプロペラファン２４とを備えて構成される。送風機２２は、その上面が熱交換器２１の上端２１Ｂよりも下方に位置するように配置され、通風空間２０に収容されている。
【００１６】
熱交換器２１の上部には、送風機２２を支持する支持フレーム２７が設けられている。支持フレーム２７は、熱交換器２１の上端２１Ｂに固定されて下方に屈曲する固定部２７Ａと、固定部２７Ａの下端からファンモーター２３の下面に延びる支持板部２７Ｂとを有している。すなわち、送風機２２は、熱交換器２１の上端２１Ｂから通風空間２０内へ下方に延びる支持フレーム２７によって吊り下げられるようにして支持され、通風空間２０内の上部に配置されている。支持フレーム２７は、通風空間２０の通風抵抗を大きく増加させない形状に形成されている。
【００１７】
プロペラファン２４の周囲には、円筒状に形成されて内部にファンモーター２３及びプロペラファン２４を収容するベルマウス２５が設けられ、ベルマウス２５は、プロペラファン２４の吸込側の空気を吹出側に案内する。
ファンモーター２３によりプロペラファン２４が回転駆動されると、室外ユニット１０の周囲、より具体的には、外装ケース１１の前面を除いた左側面側、背面側及び右側面側から熱交換器２１を通って外気が通風空間２０内に吸い込まれ、この通風空間２０の上部に設けられたベルマウス２５の上面の吹出開口２５Ａを通じて外に排出される。つまり、この室外ユニット１０は、室外ユニット１０の横方向から通風空間２０に外気を吸い込み、開放部５０側の上方向に吹き出す形式に構成されている。
【００１８】
外装ケース１１内の下部には、底板１２の上方に、冷媒回路の一部を構成する圧縮機３６（図２）等が配置される機械室２９が設けられ、機械室２９には、アキュムレータ３１、オイルセパレーター３２及びレシーバータンク３３が設けられるとともに、四方弁（図示せず）や膨張弁（図示せず）といった弁体などの冷媒回路構成部品が配管接続されて収容される。これら冷媒回路構成部品の配管の一端側は、熱交換器２１を介して室内ユニットと配管接続され、当該冷媒回路構成部品の配管の他端側は室内ユニットに配管接続され、これにより、冷媒を循環する冷媒回路が構成される。
【００１９】
機械室２９には、通風空間２０と機械室２９とを仕切る仕切板等は設けられておらず、機械室２９は通風空間２０に連通している。このため、通風空間２０の下部の熱交換器２１から吸い込まれた外気は、仕切板に遮られることなく、機械室２９の周囲を通って上方の送風機２２へ流れる。
機械室２９には、種々の機器が配置されているため、これらの機器が通風抵抗となり、機械室２９の通風抵抗は、機器が配置されていない通風空間２０の上部の通風抵抗よりも大きくなっている。
【００２０】
また、本構成では、圧縮機３６は、外装ケース１１の前面側に配置され、圧縮機３６の上方の空間に空気調和装置を制御する制御基板などの各種電装ユニットを配設した電装ボックス３４が配置される。このため、前面パネル１５を取り外すことによって、作業者が前面側から外装ケース１１内の部品のメンテナンス作業を容易に行うことができる。符号３５は、圧縮機３６の上方に設けられ、圧縮機３６に直接雨滴がかからないようにするためのカバー板である。
【００２１】
送風機２２には、ベルマウス２５の下面に形成された吸込口２５Ｂの周縁から下方に延びる吸い込みノズル４０（ノズル）が設けられている。吸い込みノズル４０は板を屈曲させるようにして形成され、ベルマウス２５の下縁から下方に行くほど外側に向けて湾曲し、熱交換器２１の内側面２１Ａの近傍まで延び、吸い込みノズル４０の先端４０Ａ（ノズルの端部）と内側面２１Ａとの間には、隙間Ｓが形成されている。吸い込みノズル４０は、略コ字形状に屈曲された熱交換器２１の形状に対応して形成され、平面視において、隙間Ｓを開けた状態で内側面２１Ａの全長に亘って内側面２１Ａに沿うように設けられる。ノズル４０は、送風機２２に吸い込まれる空気の流れを規制する風向板の機能を有している。
【００２２】
通風空間２０は、送風機２２及び吸い込みノズル４０によって上下に仕切られており、送風機２２及び吸い込みノズル４０の下方には吸い込みノズル４０の上流側の上流室４１が形成され、送風機２２及び吸い込みノズル４０の上方には吸い込みノズル４０の下流側の下流室４２が形成されている。
下流室４２では、ベルマウス２５の外周面及び吸い込みノズル４０の外側面によって構成される仕切壁４３と、下流室４２の側壁を構成する熱交換器２１の上部の内側面２１Ａとの間にベルマウス２５を囲う空間が形成され、この空間は、下流室４２に吸引される外気が通る吸引通路４５となっている。
【００２３】
送風機２２が駆動されると、上流室４１では、上流室４１の側壁を構成する熱交換器２１の下部を通って上流室４１に外気が吸い込まれ、この外気は送風機２２の吹出開口２５Ａから上方に吹き出される。また、ノズル４０の先端４０Ａの近傍では、隙間Ｓが設けられており、上流室４１の空気の一部は隙間Ｓを通って吸引通路４５に流れる。このように、隙間Ｓを設けたため、先端４０Ａと内側面２１Ａとが近接する隅部においても通風空間２０内の空気の流れが滞ることがなく、空気をスムーズに流すことができる。また、先端４０Ａを熱交換器２１の内側面２１Ａに当接させて隙間Ｓを設けない構成とした場合、先端４０Ａが当接した部分では熱交換器２１を通る気流が滞り、吸い込み量が低下することが考えられるが、本実施の形態では隙間Ｓを設けたため、先端４０Ａの近傍の熱交換器２１に空気を効率良く流すことができる。
【００２４】
下流室４２では、送風機２２が駆動されると、送風機２２の吹出開口２５Ａから上方に吹き出される空気流Ｘによってエゼクタ効果が発生し、吸い込みノズル４０より上方に位置する吸引通路４５の空気が吸引され、吸引通路４５が負圧となる。このため、下流室４２では、エゼクタ効果による負圧によって外気が吸い込まれ、熱交換器２１を通って下流室４２に外気が取り入れられる。本実施の形態では、吸い込みノズル４０を設けることで吸引通路４５の下方をほぼ塞いでおり、上流室４１側から吸引通路４５に流れる空気量が小さいため、吸引通路４５により大きな負圧が生じる。このため、吸引通路４５を介して下流室４２に多量の外気を吸引できる。さらに、吹き出しノズル２８の胴部２８Ａの開口面積が、平面視における通風空間２０の面積よりも小さく絞られており、胴部２８Ａで空気流Ｘの流速が増加するため、吸引通路４５がより大きな負圧になり、効果的に外気を吸引できる。
【００２５】
次に、図１を参照し、通風空間２０に取り込まれる外気の気流について説明する。ここで、図１中には気流を矢印で示し、各矢印の向きは気流の向きを示し、各矢印の長さは気流の風量を相対的に示している。
上流室４１に吸引される気流Ｗ１は、送風機２２から離れた下部ほど送風機２２の吸引力が及ばなくなるため、下部に行くほど風量が小さくなっている。送風機２２の吸込口２５Ｂに吸い込まれた空気は、空気流Ｘとなって上方に吹き出される。
エゼクタ効果によって下流室４２に吸引される気流Ｗ２は、送風機２２から吹き出される空気流Ｘに近い上部ほど風量が大きくなっている。エゼクタ効果で発生する気流Ｗ２の風量は、通風空間２０の下部の気流Ｗ１よりも大きな風量となっており、効果的に外気が吸引されている。吸引通路４５に吸引された空気は気流Ｙのように上方に吹き出される。
【００２６】
吸い込みノズル４０を設けない構成とした場合、通風空間２０に吸い込まれる風量は、熱交換器２１の上部で最も大きく下部に行くほど小さくなる分布となるが、本実施の形態では、吸い込みノズル４０を設けることで、送風機２２による吸い込みの風量の分布が下方にシフトされるとともに、上部ではエゼクタ効果によって外気が吸い込まれる。このため、室外ユニット１０においては、熱交換器２１を通る風量は、図１に示すように、上端２１Ｂで大きく、上端２１Ｂから吸い込みノズル４０の先端４０Ａの近傍にかけて徐々に小さくなり、先端４０Ａの下方で再び大きくなり、熱交換器２１の下部に行くほど小さくなる。
【００２７】
室外ユニット１０では、吸い込みノズル４０が通風空間２０において熱交換器２１の上端２１Ｂよりも下方まで延びているため、熱交換器２１に対する送風機２２の吸い込み力は、下流室４２側には作用せず、吸い込みノズル４０の先端４０Ａよりも下方の部分、すなわち、上流室４１の側壁を構成する熱交換器２１に作用することになる。これにより、吸い込みノズル４０を下方に延ばした分だけ、より下方に吸込み力を作用させることができるとともに、送風機２２の吸い込み力が作用する熱交換器２１の面積が小さくなり、より強い吸込み力を作用させることができるため、熱交換器２１の下部から多量の空気を吸い込むことができる。
また、吸い込みノズル４０よりも上方の下流室４２では、空気流Ｘによるエゼクタ効果によって外気を吸い込むため、吸い込みノズル４０を熱交換器２１の上端２１Ｂよりも下方まで延ばした構成であっても、熱交換器２１の上部から外気を多量に吸い込むことができる。
【００２８】
本実施の形態では、吸い込みノズル４０を備えた送風機２２を通風空間２０内に設けることで、送風機２２の仕切壁４３と熱交換器２１の内側面２１Ａとの間に吸引通路４５を形成するため、送風機２２を通風空間２０の底板１２側により近付けて配置して通風空間２０の下部から外気を効果的に吸い込むことができるとともに、通風空間２０の上部では、送風機２２から上方に吹き出される空気流Ｘのエゼクタ効果によって吸引通路４５から外気を吸引することができる。これにより、熱交換器２１の上下位置において、熱交換器２１を通る外気の吸い込み量を均一化して熱交換効率を向上できるとともに、下部から外気を吸い込むために大型の送風機を用いる必要がないため、小型の送風機２２を用いることができ、この送風機２２を通風空間２０内において熱交換器２１の上端２１Ｂより下方の位置に収容するため、室外ユニット１０の高さを小さくして室外ユニット１０を小型化できる。また、熱交換効率が向上するため、熱交換量を維持しつつ、熱交換器２１の小型化を図ることができる。
さらに、送風機２２が熱交換器２１に囲われた通風空間２０に収容されているため、外側に伝わる送風機２２の音を低減でき、室外ユニット１０の静音化を図ることができる。
【００２９】
以上説明したように、本実施の形態によれば、外装ケース１１の開放部５０に設けた送風機２２の吸い込みノズル４０の先端４０Ａを熱交換器２１の上端２１Ｂより内側の開放部５０に配置したため、より多くの空気を熱交換器２１の下部から吸い込みできるとともに、吸い込みノズル４０から開放部５０側に吹き出される空気流Ｘのエゼクタ効果で吸い込みノズル４０より開放部５０側の空気を吸引し、熱交換器２１の吸い込みノズル４０より開放部５０の部分を通った空気を、外装ケース１１の開放部５０側に吹き出し可能であるため、熱交換器２１の開放部５０側からも多量の空気を吸い込むことができる。これにより、熱交換器２１を通る空気の風量を均一化して熱交換効率を向上できる。また、熱交換効率が向上するため、熱交換器２１を小型化でき、室外ユニット１０を小型化できる。
【００３０】
また、外装ケース１１の上部に設けた送風機２２の吸い込みノズル４０の先端４０Ａを熱交換器２１の上端２１Ｂより下方に下げて配置したため、より多くの空気を熱交換器２１の下部から吸い込みできるとともに、吸い込みノズル４０から上側に吹き出される空気流Ｘのエゼクタ効果で吸い込みノズル４０より上方の空気を吸引し、熱交換器２１の吸い込みノズル４０より上方の上部部分を通った空気を、外装ケース１１の上側に吹き出し可能であるため、熱交換器２１の上部からも多量の空気を吸い込むことができる。これにより、熱交換器２１を通る空気の風量を上下で均一化して熱交換効率を向上できる。また、熱交換効率が向上するため、熱交換器２１を小型化でき、室外ユニット１０を小型化できる。
【００３１】
また、送風機２２が熱交換器２１の上端２１Ｂよりも下方に位置しているため、熱交換器２１の下部からより多くの空気を吸い込むことができるとともに、送風機２２が上端２１Ｂから出っ張らない分だけ室外ユニット１０の高さを抑えることができ、室外ユニット１０を小型化できる。さらに、通風空間２０に送風機２２を収容するため、室外ユニット１０の静音化を図ることができる。
また、送風機２２の吸い込みノズル４０を熱交換器２１の内側面２１Ａに向けて延ばすだけでエゼクタ効果を良好に発生させることができ、熱交換器２１を通る空気の風量を簡単な構成で均一化できる。
また、吸い込みノズル４０の先端４０Ａと熱交換器２１の内側面２１Ａとの間に隙間Ｓを設けたため、先端４０Ａと内側面２１Ａとが近接する隅部においても空気の流れが滞ることがなく、空気をスムーズに流すことができる。
【００３２】
吸い込みノズル４０を室外ユニット１０の上方よりも下方に収容できるので、送風機２２等の回転によって生じる騒音に関して遮音性が上がり、室外ユニット１０としての騒音の低下を図ることができる。
また、気流Ｙの追加により、全体的に室外ユニット１０としてのトータルの風量を減らすことができるので、騒音として消費されるエネルギーのロスも低く抑えられる。
【００３３】
さらに、機械室２９が通風空間２０に連通しているため、通風空間２０の下部の熱交換器２１から吸い込まれた空気を送風機２２へスムーズに流すことができる。すなわち、通風空間２０の下部では、機械室２９の機器が通風抵抗となるため空気をスムーズに流すことが難しいが、本実施の形態では、機械室２９が通風空間２０に連通しているとともに、送風機２２が通風空間２０内に収容されて機械室２９の近くに配置されているため、熱交換器２１の下部から吸い込まれた空気は機械室２９を通って送風機２２にスムーズに流れる。
また、吹き出しノズル２８の胴部２８Ａの開口面積が、平面視における通風空間２０の面積よりも小さく絞られているため、胴部２８Ａを通る空気流Ｘの流速が大きくなり、エゼクタ効果を効果的に発生させることができ、熱交換器２１を通る空気の風量を均一化できる。
【００３４】
なお、上記実施の形態は本発明を適用した一態様を示すものであって、本発明はこれに限定されない。
上記実施の形態では、送風機２２は、熱交換器２１の上端２１Ｂよりも下方に位置するように配置され、通風空間２０に収容されているものとして説明したが、本発明はこれに限定されるものではなく、吸い込みノズル４０が熱交換器２１の上端２１Ｂより下方に下げて配置されていれば、送風機２２は、上端２１Ｂより上方に配置されていても良い。すなわち、熱交換器２１を上端２１Ｂよりも上方に配置し、送風機２２の下面から吸い込みノズル４０を通風空間２０内に延出させ、先端４０Ａを熱交換器２１の内側面２１Ａの近傍まで延ばすことで通風空間２０に吸引通路を形成しても良い。
また、吸い込みノズル４０は、吸込口２５Ｂの周縁から下方に延びるものとして説明したが、本発明はこれに限定されるものではなく、吸い込みノズル４０は吸込口２５Ｂに取り付けられていなくても良い。例えば、吸い込みノズル４０は、ステー等を介して熱交換器２１に支持されて、吸込口２５Ｂの下方に配置されても良い。
【００３５】
［変形例］
以下、図３を参照して、実施の形態の変形例について説明する。この変形例において、上記実施の形態と同様に構成される部分については、同符号を付して説明を省略する。
この変形例では、送風機２２が通風空間２０内に完全に収容されておらず、通風空間２０の一部が通風空間２０内に収容されている点が上記実施の形態と異なっている。
図３に示すように、送風機２２は支持フレーム２７によって支持されており、送風機２２の下半部が通風空間２０内に収容され、上半部は熱交換器２１の上端２１Ｂよりも上方に突出している。
【００３６】
また、吸い込みノズル１４０は、ベルマウス２５の下縁から下方に真直ぐに延び、下方ほど外側に広がるように配置されている。
下流室４２では、ベルマウス２５の外周面及び吸い込みノズル１４０の外側面によって構成される仕切壁１４３と、下流室４２の側壁を構成する熱交換器２１の上部の内側面２１Ａとの間に吸引通路４５が形成されている。
このように、送風機２２の一部を通風空間２０に収容し、ベルマウス２５の下縁に吸い込みノズル１４０を設け、仕切壁１４３と内側面２１Ａとの間に吸引通路４５を設ける構成としても良い。
【００３７】
なお、上述した実施の形態では、通風空間２０の上方に吹き出しノズル２８並びに吸い込みノズル４０を設けたが、本発明はこれに限定されるものではなく、図１に示した室外ユニット１０を９０°回転させて横吹き出しとなるように寝かせて配置し、開放部５０、吹き出しノズル２８及び吸い込みノズル４０が側方に位置すると共に、これに対応して、適宜、熱交換器の配置及び形状を変更しても良い。
【符号の説明】
【００３８】
１０  室外ユニット（空気調和装置）
１１  外装ケース
２０  通風空間
２１  熱交換器（室外熱交換器）
２１Ａ  内側面
２１Ｂ  上端
２２  送風機（室外ファン）
２５Ｂ  吸込口
２８Ａ  胴部（吹き出し口）
２９  機械室
３６  圧縮機
４０、１４０  吸い込みノズル（ノズル）
４０Ａ  先端（ノズルの端部）
５０  開放部
Ｓ  隙間
【図１】
2012072937.tif 000003
【図２】
2012072937.tif 000004
【図３】
2012072937.tif 000005